(57)【特許請求の範囲】
【請求項１】
一面に装着面を備えたベース本体部材と、
前記ベース本体部材の装着面に装着されて一面に傾きを有する傾斜面が備えられた複数の傾斜ブロック部材と、
前記傾斜ブロック部材の傾斜面に装着される発光ダイオードモジュール部材とを含み、
前記ベース本体部材は、装着面の外側周辺に沿って突出する側面部を備え、
前記側面部は任意の傾きを有して傾き、ベース本体部材の平たい装着面を基準として鈍角に傾くように形成され、
前記傾斜ブロック部材は、複数の傾斜面を備え、
前記ベース本体部材は長方形状で形成され、外側周辺に沿って突出する側面部を備え、
前記ベース本体部材は、互いに対向するように両側側面部が傾きを有して傾くように形成され、
前記傾斜ブロック部材は、ベース本体部材の装着面に分離可能に結合され、
前記傾斜ブロック部材の下部面とベース本体部材の装着面には、互いに結合される装着突起と結合溝が対で備えられることを特徴とする発光ダイオードを用いた照明装置。
【請求項２】
前記ベース本体部材の装着面は、平たい平装着面と、平装着面の両側に備えられて傾いた傾斜装着面とを含むことを特徴とする、請求項１に記載の発光ダイオードを用いた照明装置。
【請求項３】
前記ベース本体部材は、ヒートシンク部が備えられることを特徴とする、請求項１に記載の発光ダイオードを用いた照明装置。
【請求項４】
前記ベース本体部材は、開放された部分をカバーする透明パネル部材が分離可能に装着されることを特徴とする、請求項１に記載の発光ダイオードを用いた照明装置。
【請求項５】
前記傾斜ブロック部材は、中空部を備えることを特徴とする、請求項１に記載の発光ダイオードを用いた照明装置。
【請求項６】
前記ベース本体部材の装着面には、傾斜ブロック部材の間に発光ダイオードモジュールからなる補助発光部を備えることを特徴とする、請求項１に記載の発光ダイオードを用いた照明装置。
【請求項７】
前記ベース本体部材と、前記傾斜ブロック部材と、発光ダイオードモジュール部材とを含んで投光器（ｆｌｏｏｄｌｉｇｈｔ）として用いられることを特徴とする、請求項１に記載の発光ダイオードを用いた照明装置。
【発明の詳細な説明】
【技術分野】
【０００１】
本発明は発光ダイオードを用いた照明装置に関し、より詳しくは、発光ダイオードを光源体として多様な形態の配光が可能となるように発明されたものである。
【背景技術】
【０００２】
一般的に、街灯または投光器などのような照明装置は、照明しようとする対象に対して効率的な照明が可能となるように適した配光の形態を有するように設計されて製造される。
【０００３】
前記照明装置は、光源として高圧水銀灯、蛍光灯、ナトリウム灯、普通電球などを用い、前記光源の光を反射板で反射させて照明対象に適する配光を形成するように設計される。
【０００４】
特に、投光器（Ｆｌｏｏｄｌｉｇｈｔ）は広告塔を始めとして、建物、看板、作業場、競技場、駐車場などに幅広く用いられ、ランプハウジング内部に放物線形状からなる反射板を備え、ランプハウジング内部に光源を設置して構成される。
【０００５】
さらに、投光器は、照明しようとする対象との距離および対象の照明面積などを考慮した上で適する配光を有するように設計され、反射板と高圧水銀灯、蛍光灯、ナトリウム灯、普通電球などとの光源間距離を調整したり、反射板の角度および形状を調整することによって設計される。
【０００６】
一方、上述した高圧水銀灯、蛍光灯、ナトリウム灯、普通電球などの光源を有する照明装置は、反射板の形状および角度を調整することによって多様な配光形状を得ることができる設計が可能となるが、光源として用いられる各種ランプ、すなわち、高圧水銀灯、蛍光灯、ナトリウム灯の場合は最初の製造時にその明るさおよび拡散範囲が定められており、ユーザがこれを人為的に調整することができないという短所があり、さらに寿命が極めて短く、電力の消耗量が多いという短所があった。
【０００７】
このような点を勘案した上で、最近では光源として発光ダイオード（ＬＥＤ：Ｌｉｇｈｔ  Ｅｍｉｔｔｉｎｇ  Ｄｉｏｄｅ）を用いた照明装置が提案されており、技術の発展に伴って電力消耗量が少なくて高輝度で発光する発光ダイオードが開発され、その使用が次第に拡散している趨勢にある。
【０００８】
しかしながら、発光ダイオードを用いた照明装置の場合、前記発光ダイオードは従来のランプ類に比べて半永久的といえる程の長い寿命はあるが、発光ダイオードの複数の組み合わせによってその明るさが決定されるため、これを反射板を用いて配光を形成する場合、配光面積が少なくて明るさが小さいだけでなく、照明対象を効率的に照明することができる多様な形態の配光を形成することに限界があるという問題点があった。
【０００９】
さらに、複数の発光ダイオードから発散する熱を効率的に発散させ難いため、熱による発光効率が低下するだけでなく、部品の損傷が発生するなどの問題点があった。
【００１０】
また、発光ダイオードを用いた照明装置において投光器を例示すれば、図１〜図２に示すように、円形または四角形状で形成されて一面に平面のランプ装着面を備えたランプハウジング部材１と、前記ランプハウジング部材１のランプ装着面１ａに複数が装着される発光ダイオードモジュール２とを含んでいる。
【００１１】
したがって、前記従来投光器は多様な配光を形成することができず、設置位置や照明対象に限界があった。
【発明の概要】
【発明が解決しようとする課題】
【００１２】
本発明は、配光面積が大きく、輝度が高く、道路照明に効率的な配光を多様に形成することができる発光ダイオードを用いた照明装置を提供することを目的とする。
【００１３】
また、本発明は、発光ダイオードモジュールの装着角度を自由に調節して所望する配光を容易に得ることができ、照明設計時に自由度を増大させる発光ダイオードを用いた照明装置を提供することを他の目的とする。
【課題を解決するための手段】
【００１４】
本発明の課題は、一面に装着面を備えたベース本体部材と、前記ベース本体部材の装着面に装着されて一面に傾きを有する傾斜面が備えられた複数の傾斜ブロック部材と、前記傾斜ブロック部材の傾斜面に装着される発光ダイオードモジュール部材と、を含む発光ダイオードを用いた照明装置を提供することによって解決される。
【発明の効果】
【００１５】
本発明は、多様な形状の配光が可能なようにし、照明設計時に自由度を増大させ、照明対象に対する照明効率を増大させる効果がある。また、本発明は、発光ダイオードを用いて寿命が長く、電力消耗が少ない多様な用途の照明装置を容易に設計することができる効果がある。
【図面の簡単な説明】
【００１６】
【図１】従来の投光器を示す斜視図である。
【図２】従来の投光器を示す斜視図である。
【図３】本発明の実施形態を示す斜視図である。
【図４】本発明の実施形態を示す斜視図である。
【図５】本発明の実施形態を示す斜視図である。
【図６】本発明の実施形態を示す斜視図である。
【図７】本発明の実施形態を示す斜視図である。
【図８】本発明のベース本体部材に対する実施形態を示す断面図である。
【図９】本発明のベース本体部材に対する実施形態を示す断面図である。
【図１０】本発明のベース本体部材に対する実施形態を示す断面図である。
【図１１】本発明のベース本体部材に対する実施形態を示す断面図である。
【図１２】本発明の傾斜ブロック部材に対する実施形態を示す側面図である。
【図１３】本発明の傾斜ブロック部材に対する実施形態を示す側面図である。
【図１４】本発明の傾斜ブロック部材に対する他の実施形態を示す要部拡大断面図である。
【図１５】本発明の傾斜ブロック部材に対する他の実施形態を示す要部拡大断面図である。
【図１６】投光器で一般的に用いられる配光形態を示す概略図である。
【図１７】幅が狭い配光が可能な投光器の一実施形態を示す図である。
【図１８】幅が狭い配光が可能な投光器の一実施形態を示す図である。
【図１９】幅が狭い配光が可能な投光器の一実施形態を示す図である。
【図２０】中間配光が可能な投光器の一実施形態を示す図である。
【図２１】中間配光が可能な投光器の一実施形態を示す図である。
【図２２】中間配光が可能な投光器の一実施形態を示す図である。
【図２３】幅が広い配光が可能な投光器の一実施形態を示す図である。
【図２４】幅が広い配光が可能な投光器の一実施形態を示す図である。
【図２５】幅が広い配光が可能な投光器の一実施形態を示す図である。
【図２６】本発明に含まれる他の投光器を示す斜視図である。
【図２７】本発明に含まれる他の投光器を示す斜視図である。
【図２８】図２６〜図２７で示す投光器の一実施形態を示す図である。
【図２９】図２６〜図２７で示す投光器の一実施形態を示す図である。
【図３０】図２６〜図２７で示す投光器の他の実施形態を示す図である。
【図３１】図２６〜図２７で示す投光器の他の実施形態を示す図である。
【図３２】図２６〜図２７で示す投光器の一実施形態を示す図である。
【図３３】図２６〜図２７で示す投光器の一実施形態を示す図である。
【図３４】本発明のまた他の実施形態を示す斜視図である。
【発明を実施するための形態】
【００１７】
以下、本発明の好ましい実施形態について、添付の図面を参照して詳しく説明すれば次のとおりである。
【００１８】
図３〜図７は本発明の実施形態を示す斜視図であり、本発明の多様な実施形態を斜視図によって示している。
【００１９】
図８〜図１１は本発明のベース本体部材に対する実施形態を示す断面図であり、ベース本体部材の多様な実施形態を断面図によって示している。
【００２０】
図１２〜図１３は本発明の傾斜ブロック部材に対する実施形態を示す側面図で、図１２は単一傾斜面を有する傾斜ブロック部材に対する実施形態であり、図１３は複数の傾斜面を有する傾斜ブロック部材に対する実施形態である。
【００２１】
図１４〜図１５は本発明の傾斜ブロック部材に対する他の実施形態を示す要部拡大断面図で、ベース本体部材に分離可能に結合する傾斜ブロック部材の実施形態を示すものであり、図１４はハウジング部材の装着面上に結合突起が突出した例を示しており、図１５は傾斜ブロック部材の下部面に結合突起が突出した例を示している。
【００２２】
図１６は投光器で一般的に用いられる配光形態を示す概略図であり、幅が狭い配光、中間配光、幅が広い配光をそれぞれ示している。
【００２３】
図１７〜図１９は幅が狭い配光が可能な投光器の一実施形態を示す図であり、四角ボックス形状のベース本体部材の装着面に複数の傾斜ブロック部材を装着し、図１６で示す幅が狭い配光が可能な例を示している。
【００２４】
図２０〜図２２は中間配光が可能な投光器の一実施形態を示す図であり、四角ボックス形状のベース本体部材の装着面に複数の傾斜ブロック部材を装着し、図１６で示す中間配光が可能な例を示している。
【００２５】
図２３〜図２５は幅が広い配光が可能な投光器の一実施形態を示す図であり、四角ボックス形状のベース本体部材の装着面に複数の傾斜ブロック部材を装着し、図１６で示す幅が広い配光が可能な例を示している。
【００２６】
図２６〜図２７は本発明に含まれる他の投光器を示す斜視図であり、図２６は分解斜視図であり、図２７は組立図である。
【００２７】
図２８〜図２９は図２６〜図２７で示す投光器の一実施形態を示す図であり、図１６で示す幅が狭い配光が可能なようにした例を示している。
【００２８】
図３０〜図３１は図２６〜図２７で示す投光器の他の実施形態を示す図であり、図１６で示す中間配光が可能なようにした例を示している。
【００２９】
図３２〜図３３は図２６〜図２７で示す投光器の一実施形態を示す図であり、図１６で示す幅が広い配光が可能なようにした例を示している。
【００３０】
図３４は本発明のまた他の実施形態を示す斜視図であり、傾斜ブロック部材の空の空間に複数の発光ダイオードモジュールからなる補助発光部を備えた例を示している。
【００３１】
以下、図３〜図７で示すように、本発明のベース本体部材１０は、一面に傾斜ブロック部材２０が装着される装着面１１を備え、本発明において、前記装着面１１はベース本体部材１０の上部に形成されることを基本として説明することを明らかにしておく。
【００３２】
また、ベース本体部材１０の装着面１１には、傾きを有する傾斜面が備えられた傾斜ブロック部材２０が装着される。
【００３３】
前記傾斜ブロック部材２０の傾斜面には複数の発光ダイオードモジュール部材３０が装着され、前記発光ダイオードモジュール部材３０は、メタルプリント回路基板（ＰＣＢ；ｐｒｉｎｔｅｄ  ｃｉｒｃｕｉｔ  ｂｏａｒｄ）に実装されて電気電源の供給を受けて発光する発光ダイオードチップ（ＬＥＤ  Ｃｈｉｐ）と、前記発光ダイオードチップから発光する光を集中させるレンズ部とを含む。
【００３４】
前記発光ダイオードモジュール部材３０のレンズ部は、発光ダイオードチップから発光する光を集中させて光の照射範囲を調整するものであり、照射される範囲に応じて１２゜レンズ、２５゜レンズ、３０゜レンズ、４５゜レンズなどに区分されて用いられ、これは従来に公知されたものであるため、詳細な説明は省略することを明らかにしておく。
【００３５】
すなわち、前記発光ダイオードモジュール部材３０は、照射範囲を任意の角度で調整するレンズ部に応じて区分されて用いられる。
【００３６】
一方、ベース本体部材１０は、図３〜図４で示すように、四角形または円形の平たい装着面１１を有するように形成され、装着面１１上に傾斜ブロック部材２０が装着される構造で形成されることもできる。
【００３７】
ベース本体部材１０は、図５〜図７で示すように、四角または円形の平たい装着面１１を有し、装着面１１の外側周辺に沿って突出する側面部１２を備えて形成することもできる。
【００３８】
また、前記側面部１２は、図５〜図７および図８で示すように、装着面１１の外側周辺に沿って垂直に突出して任意の高さを有するように形成されることもでき、図９で示すように、任意の傾きを有して傾斜し、ベース本体部材１０の平たい装着面１１を基準として鈍角（α）に傾斜するように形成され、側面部１２の内側面に傾斜装着面１１ｂを備え、側面部１２の間に平たい平装着面１１ａを備えることもできる。
【００３９】
ベース本体部材１０の装着面１１は、平たい平装着面１１ａと、平装着面１１ａの両側に備えられて傾いた傾斜装着面１１ｂとを含む。
【００４０】
また、前記ベース本体部材１０は、図１０で示すように、垂直に立てられた側面部１２の間で平たい平装着面１１ａと、平装着面１１ａの両側に傾いた傾斜装着面１１ｂとを備えるように形成されることもでき、前記平装着面１１ａと傾斜装着面１１ｂを本体の中心で対称となるように１対で備えるように形成されることもできる。
【００４１】
ベース本体部材１０は、図７および図１１で示すように、下部に熱放出のための熱交換面積を広げるヒートシンク部１３（Ｈｅａｔ  Ｓｉｎｋ）が備えられることが好ましい。
【００４２】
前記ヒートシンク部１３は、ベース本体部材１０の下部面に間隔を置いて突出する複数の放熱ピンまたは放熱弁を含んで熱伝達面積を広げることにより、発光ダイオードモジュールから発生する熱を排出する。
【００４３】
ヒートシンク部１３は、発光ダイオードモジュールの発光時に、発光ダイオードチップの自体発熱および発光ダイオードチップに供給される電気電源の電圧を使用電圧に変換するドライバー（図示せず）から発生する熱を放出させ、熱による発光ダイオードチップの故障を防ぐ。
【００４４】
一方、傾斜ブロック部材２０は、図１２〜図１３で示すように、単一傾斜面を有したり、複数の傾斜面を有するように形成されることもできる。
【００４５】
図１２は単一傾斜面を有する傾斜ブロック部材２０を例示するものであり、図１２の（ａ）は５゜の傾斜面を有する５゜ブロック２１を例示しており、図１２の（ｂ）は１０゜の傾斜面を有する１０゜ブロック２２を例示しており、図１２の（ｃ）は１５゜の傾斜面を有する１５゜ブロック２３を例示しており、図１２の（ｄ）は４０゜の傾斜面を有する４０゜ブロック２５を例示している。
【００４６】
図１２の（ａ）〜図１２の（ｃ）の傾斜ブロック部材２０のように０゜〜２０゜の小さい傾きを有するものは、主に平装着面１１ａと傾斜装着面１１ｂに装着されて用いられる。
【００４７】
また、図１２の（ｄ）の傾斜ブロック部材２０のように３０゜以上の大きい傾きを有するものは、主に装着面１１の端部側または垂直に立てられた側面部１２の内側面に密着するように装着されて用いられる。
【００４８】
図１３は複数の傾斜面を有する傾斜ブロック部材２０を例示するものであり、図１３の（ａ）〜図１３の（ｂ）は互いに対称する１対の傾斜面を有する傾斜ブロック部材２０を例示するものであり、図１３の（ａ）は主に垂直に立てられた側面部１２を有するベース本体部材１０で側面部１２の内側面に密着するように主に用いられる実施形態であり、図１３の（ｂ）は主に任意の傾きを有して傾いた側面部１２を有するベース本体部材１０で側面部１２内側の傾斜装着面１１ｂに装着されて用いられる実施形態である。
【００４９】
また、図１３の（ｃ）〜図１３の（ｄ）は互いに異なる傾きを有して傾いた２つの傾斜面を有する傾斜ブロック部材２０を例示するものであり、図１３の（ｃ）は垂直に立てられた側面部１２を有するベース本体部材１０で側面部１２の内側面に密着するように主に用いられる実施形態であり、図１３の（ｄ）は任意の傾きを有して傾いた側面部１２を有するベース本体部材１０で側面部１２内側の傾斜装着面１１ｂに装着されて用いられる実施形態である。
【００５０】
傾斜ブロック部材２０は、図１２の（ｄ）で示すように、中空部２０ａを備えて重さを減らすようにし、本発明によって製造される照明装置を軽量化できるようにすることが好ましい。
【００５１】
傾斜ブロック部材２０は、図１４〜図１５で示すように、ベース本体部材１０の装着面１１に分離可能に結合されて装着されることにより、１つのベース本体部材１０において交換が可能となる。
【００５２】
傾斜ブロック部材２０の下部面とベース本体部材１０の装着面１１には互いに結合される１対の装着突起２０ｂと結合溝２０ｃを備え、締り嵌めによって装着面１１上に分離可能に結合されることを基本とする。
【００５３】
図１４で示すように、前記装着突起２０ｂは傾斜ブロック部材２０の装着位置に突出し、結合溝２０ｃは前記装着突起２０ｂに対応するように傾斜ブロック部材２０の下部面に形成されることができる。
【００５４】
また、図１５で示すように、前記装着突起２０ｂは傾斜ブロック部材２０の下部面に突出し、結合溝２０ｃは傾斜ブロック部材２０の装着位置で前記装着突起２０ｂに対応するように形成されることもできる。
【００５５】
すなわち、傾斜ブロック部材２０は、傾斜面の傾きおよび傾斜面上に装着された複数の発光ダイオードモジュールに応じて区分されてベース本体部材１０の装着面１１に交換され、装着面１１上に装着される複数の組み合わせによって多様な配光を形成できるようになる。
【００５６】
一方、以下で本発明の実施形態を説明するにおいて、本発明を投光器に用いる例として説明するが、この他にも照明対象を効率的に照明できるように一定の配光形態を有するように設計されるいかなる照明装置にも適用が可能であることを明らかにしておく。
【００５７】
図１６では投光器で主に用いられる幅が狭い配光と、中間配光、幅が広い配光をそれぞれ示している。
【００５８】
図１６の（ａ）では、幅が狭くて横に長い配光形態を有する幅が狭い配光を示しており、図１６の（ｂ）では、幅が狭い配光よりも広い幅を有する中間配光を示しており、図１６の（ｃ）では、中間配光よりも広い幅を有する幅が広い配光を示しており、この３種類の配光タイプを形成するための実施形態は次のとおりである。
【００５９】
また、下記の実施形態で用いられる傾斜ブロック部材２０は、平面である装着面１１を基準として５゜傾いた５゜ブロック２１、１０゜傾いた１０゜ブロック２２、１５゜傾いた１５゜ブロック２３、３０゜傾いた３０゜ブロック、４０゜傾いた４０゜ブロック２５を含む。
【００６０】
さらに、下記の実施形態で用いられる発光ダイオードモジュール部材３０は、１２゜レンズを用いた第１発光ダイオードモジュール３１、または３０゜レンズを用いた第２発光ダイオードモジュール３２によって実施形態を説明することを明らかにしておく。
【００６１】
［第１実施形態］
第１実施形態は、図１７で示すように、長方形状の装着面１１と、装着面１１の外側周辺で一定の高さの側面部１２が垂直に突出して上部面が開放された長方形ボックス形状で形成されたベース本体部材１０とで幅が狭い配光を形成する実施形態である。
【００６２】
本実施形態において、装着面１１の横方向は長方形状において長さが長い方向であり、装着面１１の縦方向は長方形状において長さが短い方向であることを基本とする。
【００６３】
第１実施形態において、傾斜ブロック部材２０は、図１８で示すように、装着面１１の横方向に２列で装着され、第１列は装着面１１の中央から横方向に互いに対向するように装着される５゜ブロック２１と、５゜ブロック２１の両側に横方向に互いに対向するように装着される１対の４０゜ブロック２５とを含む。
【００６４】
また、第２列は、装着面１１の中央から横方向に互いに対向するように装着される１対の１０゜ブロック２２と、１０゜ブロック２２の両側に横方向に互いに対向するように装着される１対の３０゜ブロック２４とを含む。
【００６５】
さらに、各傾斜ブロック部材２０には、１２゜レンズを有する第１発光ダイオードモジュール３１が５つずつ装着される。
【００６６】
本実施形態は、図１９で示すように、縦方向に幅が狭くて横方向に長く形成される図１６（ａ）形態の幅が狭い配光を形成する。
【００６７】
［第２実施形態］
第２実施形態は、図２０で示すように、長方形状の装着面１１と、装着面１１の外側周辺で一定の高さの側面部１２が垂直に突出して上部面が開放された長方形ボックス形状で形成されたベース本体部材１０とで中間配光を形成する実施形態である。
【００６８】
本実施形態において、装着面１１の横方向は長方形状において長さが長い方向であり、装着面１１の縦方向は長方形状において長さが短い方向であることを基本とする。
【００６９】
第２実施形態において、傾斜ブロック部材２０は、図２１で示すように、装着面１１の中央から縦方向に互いに対向するように２列で対称する２対の５゜ブロック２１と、装着面１１の横方向に前記５゜ブロック２１の両側に互いに対向するように装着される１対の３０゜ブロック２４とを含む。
【００７０】
また、前記５゜ブロック２１にはそれぞれ３０゜レンズを有する第２発光ダイオードモジュール３２が５つ装着され、３０゜ブロック２４にはそれぞれ上、下列に６つの発光ダイオードモジュール部材３０が装着され、上列３２ａには３０゜レンズを有する第２発光ダイオードモジュール３２を装着し、下列３１ａには１２゜レンズを有する第１発光ダイオードモジュール３１を装着する。
本実施形態は、図２２で示すように、縦方向の幅が第１実施形態の幅が狭い配光よりも広く形成される図１６（ｂ）形態の中間配光を形成する。
【００７１】
［第３実施形態］
第３実施形態は、図２３で示すように、長方形状の装着面１１と、装着面１１の外側周辺で一定の高さの側面部１２が垂直に突出して上部面が開放された長方形ボックス形状で形成されたベース本体部材１０とで中間配光を形成する実施形態である。
【００７２】
本実施形態において、装着面１１の横方向は長方形状において長さが長い方向であり、装着面１１の縦方向は長方形状において長さが短い方向であることを基本とする。
【００７３】
第３実施形態において、傾斜ブロック部材２０は、図２４で示すように、装着面１１の中央から縦方向に互いに対向するように２列で対称する２対の１５゜ブロック２３と、装着面１１の横方向に前記１５゜ブロック２３の両側に互いに対向するように装着される１対の３０゜ブロック２４とを含む。
【００７４】
また、前記１５゜ブロック２３にはそれぞれ３０゜レンズを有する第２発光ダイオードモジュール３２が５つ装着され、３０゜ブロック２４にはそれぞれ上、下列に６つの発光ダイオードモジュール部材３０が装着され、上列３２ａには３０゜レンズを有する第２発光ダイオードモジュール３２を装着し、下列３１ａには１２゜レンズを有する第１発光ダイオードモジュール３１を装着する。
【００７５】
本実施形態は、図２５で示すように、縦方向に幅が第２実施形態よりも広く形成される図１６（ｃ）形態の幅が広い配光を形成する。
【００７６】
一方、以下、第４実施形態〜第６実施形態において、ベース本体部材１０は、図２６〜図２７で示すように、四角形状の装着面１１と、装着面１１の外側周辺で一定の高さの側面部１２が突出して上部面が開放された長方形ボックス形状とで形成され、長方形において長さが長い横方向の両側面部１２が対称する傾きを有して傾いたベース本体部材１０を用いた投光器に対する実施形態であって、１つのベース本体部材１０において傾斜ブロック部材２０の組み合わせに応じて、投光器で主に幅が狭い配光と、中間配光、幅が広い配光が可能であることを示している。
【００７７】
前記両側側面部１２ａは、ベース本体部材１０の平装着面１１ａから延長する直線を基準線として３５゜に傾くことを基本とする。
【００７８】
また、前記ベース本体部材１０の内部には傾斜ブロック部材２０が装着される装着面１１が備えられ、装着面１１は、ベース本体部材１０の内部から横方向側面部１２ａの内側面に横方向側面部１２ａと同じ傾斜を有する傾斜装着面１１ｂと、傾斜装着面１１ｂの間に備えられて平たい平装着面１１ａとを含む。
【００７９】
さらに、ベース本体部材１０は、開放された上部面に開放された部分をカバーする透明パネル部材４０が装着されて発光ダイオードモジュール部材３０を保護し、内部に異物が流入することを防ぐことが好ましい。
【００８０】
前記透明パネル部材４０はガラスまたは透明または半透明の合成樹脂材の材質で製造され、発光ダイオードモジュール部材３０から発光した光を透過させる。
【００８１】
ベース本体部材１０の側面部１２は上部両側にボルト締結が可能な締結溝１４ａが形成された第１カバー結合部１４を備え、透明パネル部材４０には前記締結溝１４ａに対応するようにボルト結合が可能なボルト結合孔４１ａが形成された第２カバー結合部４１を備える。
【００８２】
透明パネル部材４０はベース本体部材１０の上部で結合され、第１、２カバー結合部１４、４１を一致させた後に締結ボルト４２を締結することによって装着され、締結ボルト４２を解けば分離が可能となる。
【００８３】
前記透明パネル部材４０は、上述したものの他にも、分離が可能なようにベース本体部材１０に結合され、必要な場合には分離させてベース本体部材１０の内部を開放することにより、発光ダイオードモジュール部材３０の交換および点検が可能になる。
【００８４】
また、ベース本体部材１０の外側面には熱放出のためのヒートシンク部１３（Ｈｅａｔ  Ｓｉｎｋ）が備えられる。
【００８５】
ベース本体部材１０の下部には任意の位置に固定される固定部材１５に回動可能なようにヒンジ結合するヒンジ部１６が備えられ、装着角度を固定するようにする。
【００８６】
［第４実施形態］
図２８で示すように、本実施形態は、上述したベース本体部材１０、すなわち、両側の横方向側面部１２ａが３５゜に傾くように形成されたベース本体部材１０を用いた投光器に対する実施形態であり、図１６の（ａ）に示す幅が狭い配光を形成する実施形態である。
【００８７】
両側の横方向側面部１２ａは、ベース本体部材１０の内部で内側面に傾斜ブロック部材２０が装着される傾斜装着面１１ｂが備えられる。
【００８８】
また、前記ベース本体部材１０は、内部で傾斜装着面１１ｂの間に平たい平装着面１１ａが備えられる。
【００８９】
前記傾斜装着面１１ｂには互いに対称する２対の５゜ブロック２１が装着され、１対の５゜ブロック２１は傾斜装着面１１ｂの基準線に対して傾斜角度を５゜大きくなるように装着され、１対の５゜ブロック２１は傾斜装着面１１ｂの基準線に対して傾斜角度を５゜小さくなるように装着される。
【００９０】
すなわち、１対の５゜ブロック２１は、高さが高い部分が傾斜装着面１１ｂにおいて上部を向くように装着されて平装着面１１ａから延長する直線の基準線との角度が５゜大きくなるようにし、他の１対の高さが高い部分が傾斜装着面１１ｂにおいて下部を向くように装着されて平装着面１１ａから延長する直線の基準線との角度が５゜小さくなるようにする。
【００９１】
前記平装着面１１ａには、横方向に傾斜面を互いに対向するように２対の１０゜ブロック２２が装着される。
【００９２】
さらに、各傾斜ブロック部材２０、すなわち、２対の５゜ブロック２１および２対の１０゜ブロック２２には、１２゜レンズを有する第１発光ダイオードモジュール３１が５つずつ装着される。
【００９３】
本実施形態は、図２９で示すように、縦方向に幅が狭くて横方向に長く形成される図１６（ａ）形態の幅が狭い配光を形成する。
【００９４】
［第５実施形態］
図３０で示すように、本実施形態は、上述したベース本体部材１０、すなわち、両側の横方向側面部１２ａが３５゜に傾くように形成されたベース本体部材１０を用いた投光器に対する実施形態であり、図１６（ｂ）に示す中間配光を形成する実施形態である。
【００９５】
両側の横方向側面部１２ａは、ベース本体部材１０の内部で内側面に傾斜ブロック部材２０が装着される傾斜装着面１１ｂが備えられる。
【００９６】
また、前記ベース本体部材１０は、内部で傾斜装着面１１ｂの間に平たい平装着面１１ａが備えられる。
【００９７】
前記傾斜装着面１１ｂには互いに対称する２対の５゜ブロック２１が装着され、傾斜装着面１１ｂの基準線に対して傾斜角度を５゜小さくなるように装着される。
【００９８】
すなわち、２対の５゜ブロック２１は、高さが高い部分が傾斜装着面１１ｂにおいて下部を向くように装着されて平装着面１１ａから延長する直線の基準線との角度が５゜小さくなるようにする。
【００９９】
前記平装着面１１ａには、縦方向に傾斜面を互いに対向するように２対の５゜ブロック２１が装着される。
【０１００】
さらに、各傾斜ブロック部材２０、すなわち、８つの５゜ブロック２１には発光ダイオードモジュール部材３０が５つずつ装着され、傾斜装着面１１ｂに装着される２対の５゜の下部側１列、すなわち、図３０の「Ａ」部分のみが１２゜レンズを有する第１発光ダイオードモジュール３１であり、これを除いた残りは３０゜レンズを有する第２発光ダイオードモジュール３２である。
【０１０１】
本実施形態は、図３１で示すように、縦方向の幅が第４実施形態の幅が狭い配光よりも広く形成される図１６（ｂ）形態の中間配光を形成する。
【０１０２】
［第６実施形態］
図３２で示すように、本実施形態は、上述したベース本体部材１０、すなわち、両側の横方向側面部１２ａが３５゜に傾くように形成されたベース本体部材１０を用いた投光器に対する実施形態であり、図１６（ｃ）に示す幅が広い配光を形成する実施形態である。
【０１０３】
両側の横方向側面部１２ａは、ベース本体部材１０の内部で内側面に傾斜ブロック部材２０が装着される傾斜装着面１１ｂが備えられる。
【０１０４】
また、前記ベース本体部材１０は、内部で傾斜装着面１１ｂの間に平たい平装着面１１ａが備えられる。
【０１０５】
前記傾斜装着面１１ｂには互いに対称する２対の５゜ブロック２１が装着され、傾斜装着面１１ｂの基準線に対して傾斜角度を５゜小さくなるように装着される。
【０１０６】
すなわち、２対の５゜ブロック２１は、高さが高い部分が傾斜装着面１１ｂにおいて下部を向くように装着されて平装着面１１ａから延長する直線の基準線との角度が５゜小さくなるようにする。
【０１０７】
前記平装着面１１ａには、縦方向に傾斜面を互いに対向するように２対の１５゜ブロック２３が装着される。
【０１０８】
各傾斜ブロック部材２０、すなわち、２対の５゜ブロック２１および２対の１５゜ブロック２３には、３０゜レンズを有する第２発光ダイオードモジュール３２が５つずつ装着される。
【０１０９】
本実施形態は、図３３で示すように、縦方向に幅が第５実施形態よりも広く形成される図１６（ｃ）形態の幅が広い配光を形成する。
【０１１０】
一方、図３４で示すように、ベース本体部材１０の装着面１１には傾斜ブロック部材２０の間に複数の発光ダイオードモジュール３０からなる補助発光部３３を備え、光量を補強するようにもできる。
【０１１１】
本発明は、上述したように、ベース本体部材１０の各装着面に装着される傾斜ブロック部材２０および発光ダイオードモジュール部材３０を多様に組み合わせて設計することにより、照明設計時に要求される多様な配光を容易に得ることができる。
【０１１２】
また、上述した実施形態における長方形状のベース本体部材１０は、投光器に用いられるにあたり、傾斜ブロック部材２０を交換しながら投光器で主に用いられる配光を形成することが容易な形状である。
【０１１３】
本発明は上述した実施形態に限定されるものではなく、本発明の要旨を逸脱しない範囲内で多様に変更して実施することができ、これは本発明の構成に含まれることを明らかにしておく。
【０１１４】
また、本発明は、上述したように投光器用として用いられることを基本とし、これ以外の多様な配光で照明しなければならないいずれの用途でも使用が可能であることを明らかにしておく。
【符号の説明】
【０１１５】
１０  ・・・ベース本体部材
１１  ・・・装着面
１２  ・・・側面部
２０  ・・・傾斜ブロック部材
３０  ・・・発光ダイオードモジュール部材
４０  ・・・透明パネル部材
【図１】
0005442708.tif 000002
【図２】
0005442708.tif 000003
【図３】
0005442708.tif 000004
【図４】
0005442708.tif 000005
【図５】
0005442708.tif 000006
【図６】
0005442708.tif 000007
【図７】
0005442708.tif 000008
【図８】
0005442708.tif 000009
【図９】
0005442708.tif 000010
【図１０】
0005442708.tif 000011
【図１１】
0005442708.tif 000012
【図１２】
0005442708.tif 000013
【図１３】
0005442708.tif 000014
【図１４】
0005442708.tif 000015
【図１５】
0005442708.tif 000016
【図１６】
0005442708.tif 000017
【図１７】
0005442708.tif 000018
【図１８】
0005442708.tif 000019
【図１９】
0005442708.tif 000020
【図２０】
0005442708.tif 000021
【図２１】
0005442708.tif 000022
【図２２】
0005442708.tif 000023
【図２３】
0005442708.tif 000024
【図２４】
0005442708.tif 000025
【図２５】
0005442708.tif 000026
【図２６】
0005442708.tif 000027
【図２７】
0005442708.tif 000028
【図２８】
0005442708.tif 000029
【図２９】
0005442708.tif 000030
【図３０】
0005442708.tif 000031
【図３１】
0005442708.tif 000032
【図３２】
0005442708.tif 000033
【図３３】
0005442708.tif 000034
【図３４】
0005442708.tif 000035